(57)【要約】      （修正有）【課題】  画像データの記録メディアへの記録保存時において、保存する画像毎に編集できるようにした画像処理装置を提供する。【解決手段】  画像読み取り装置により読み取られて制御装置を介して適宜取り込まれた画像を、ＣＤ−Ｒなどのリムーバブル記録メディアに記録保存するようにした画像プリント処理装置において、制御装置には、制御装置による画像の取り込み終了後のリムーバブル記録メディアに記録保存する時点で、前記制御装置に取り込まれた画像をモニターに一覧表示する画像表示機能と、前記画像表示機能により表示された各画像の編集を行なうための保存画像編集機能とが備えられ、保存画像編集機能には、各画像の並び替え機能部と、各画像の回転機能部と、各画像の削除機能部とが備えられた。【選択図】  図２
2006246120.tif 000002
【特許請求の範囲】
【請求項１】
画像読み取り装置により読み取られて制御装置を介して適宜取り込まれた画像を、リムーバブル記録メディアに記録保存するようにした画像プリント処理装置において、
前記制御装置には、制御装置による画像の取り込み終了後のリムーバブル記録メディアに記録保存する時点で、前記制御装置に取り込まれた画像を表示装置に一覧表示する画像表示機能と、前記画像表示機能により表示された各画像の編集を行なうための保存画像編集機能とが備えられていることを特徴とする画像プリント処理装置。
【請求項２】
保存画像編集機能には、各画像の並び替え機能部と、各画像の回転機能部と、各画像の削除機能部とが備えられていることを特徴とする請求項１に記載の画像プリント処理装置。
【発明の詳細な説明】
【技術分野】
【０００１】
本発明は、画像プリント処理装置、詳しくは、画像読み取り装置により読み取られた画像を制御装置を介して適宜取り込んだ後、その画像を、ＣＤ−Ｒなどのリムーバブル記録メディアに記録するようにした画像プリント処理装置に関する。
【背景技術】
【０００２】
一般に、この種の画像プリント処理装置は、現像済フィルムのコマ画像を読み取るための画像読み取り装置と、リムーバブルな各種記録メディアに記録された画像データの読み取り及び記録メディアへの画像データの書き込みを行うための画像データ読み書き装置と、前記画像読み取り装置で読み取った画像を印画紙などの用紙に焼き付けるための露光装置と、この露光装置で露光済の印画紙を現像処理するための現像処理装置と、これら各種構成機器を制御するための制御装置が搭載されている。（特許文献１参照）
そして以上の画像プリント処理装置によりプリントを作成するには、例えば現像済フィルムの画像を画像読み取り装置で読み取って、その画像をモニター画面に表示し、オペレータがこのモニター画面を見ながら画像を適宜編集して制御装置に取り込んだ後、その画像をプリント処理する一方、制御装置に取り込まれた画像データを、画像データ読み書き装置により、ＣＤ−Ｒ等のリムーバブルな記録メディアに書き込み、出来上がったプリントと共にこの記録メディアを顧客に提供するようにしている。
【０００３】
ところで、以上の従来の画像プリント処理装置では、画像読み取り装置により読み取った画像の制御装置への取り込みが終了すると、その時点でＣＤ−Ｒ等のリムーバブルな記録メディアへの書き込む順番や書き込む画像が確定されるので、画像の制御装置への取り込みが終了した後には、その画像の再編集を行なうことが出来ない。
【０００４】
そのため、従来の画像プリント処理装置では、制御装置への画像の取り込みが終了した後、その画像データをＣＤ−Ｒ等のリムーバブルな記録メディアに書き込む時点で、例えばフイルムをスキャニングする際にフィルムマスクユニットへのフィルムの装填方向を間違え、画像が天地逆となって、画像が撮影順に読み取られないことが判明し、画像の編集を行なう場合には、先に画像読み取り装置により読み取った画像がすべてキャンセルされてしまって、再度現像済みフィルムのコマ画像を画像読み取り装置により読み取る作業からやり直さざるを得ず、非常に作業性が悪かったのである。
【特許文献１】特開２００１−５７６１５号
【発明の開示】
【発明が解決しようとする課題】
【０００５】
本発明は以上の実情に鑑みて開発したものであって、目的とするところは、画像データの記録メディアへの記録保存時において、保存する画像毎に編集できるようにした画像プリント処理装置を提供することにある。
【課題を解決するための手段】
【０００６】
以上の目的を達成するために、請求項１に記載の発明は、画像読み取り装置により読み取られて制御装置を介して適宜取り込まれた画像を、リムーバブル記録メディアに記録保存するようにした画像プリント処理装置において、前記制御装置には、制御装置による画像の取り込み終了後のリムーバブル記録メディアに記録保存する時点で、前記制御装置に取り込まれた画像を表示装置に一覧表示する画像表示機能と、前記画像表示機能により表示された各画像の編集を行なうための保存画像編集機能とが備えられていることを特徴とするものである。
【０００７】
請求項２に記載の発明は、請求項１に記載の保存画像編集機能には、各画像の並び替え機能と、各画像の回転機能と、各画像の削除機能とが備えられていることを特徴とするものである。
【発明の効果】
【０００８】
請求項１に記載の発明によれば、画像読取装置により読み取って制御装置への取り込みが終了した後の画像データの記録メディアへの記録保存時においても、保存する画像を画像表示機能により表示装置に一覧表示して、保存画像編集機能により各画像の編集を行なえるので、画像データをＣＤ−Ｒ等のリムーバブルな記録メディアに書き込む時点で、例えばフイルムをスキャニングする際にフィルムのフィルムマスクユニットへのフィルムの装填方向を間違え、画像が天地逆となって、画像が撮影順に読み取られないことが判明し、画像の編集を行いたい場合、従来のように、再度、現像済みフィルムのコマ画像を画像読み取り装置により読み取る作業を行なわずともよく、それだけ画像の記録保存の作業性が良好となる。
【０００９】
また請求項２に記載の発明によれば、請求項１に記載の発明の作用効果に加え、各画像の編集作業として各画像の並び替えと各画像の回転と各画像の削除をそれぞれ行なうことが出来る。
【発明を実施するための最良の形態】
【００１０】
図１は、本発明にかかる画像プリント処理装置の一例を概略的に示したものであって、
この画像プリント処理装置１は、
現像済フィルムをセットするためのフィルムマスクユニット２１、このフィルムマスクユニット２１にセットされた現像済フィルムのコマ画像を読み取るための画像読み取り装置を構成するスキャナ２２、リムーバブルな各種記録メディアに記録された画像データの読み取り及び記録メディアへの画像データの書き込みを行うための画像データ読み書き装置２３、及びスキャナ２２または画像データ読み書き装置２３で読み取った画像データに主として各種の画像処理を施すための画像処理部２４を搭載した画像処理機２と、
画像処理機２で処理された画像データにより、プリント用紙の一例である印画紙Ｐに画像Ｄを焼き付けるためのプリンター３と、
プリンター３で画像Ｄが焼き付けられた印画紙を現像するためのプロセッサ４とから構成されている。
【００１１】
画像処理機２に搭載されているスキャナ２２は、現像済フィルムをフィルムマスクユニット２１にセットすることにより、光源ユニット２１ａからの光を、フィルムマスクユニット２１にセットされた現像済フィルムに照射して各コマの画像Ｄを順次読み取って画像処理部２４に出力するようにしている。
【００１２】
画像データ読み書き装置２３は、ＣＤ−Ｒ用のもの２３ａ、フレキシブルディスク用のもの２３ｂ、スマートメディア用のもの２３ｃやその他の各種記録メディア用のものなどが搭載されている。
【００１３】
画像処理部２４では、スキャナ２２または読み取り装置２３で読み取られた画像データに各種画像処理を施すようにしている。
【００１４】
画像処理部２４は、画像処理ソフトウエア等がインストールされたコンピュータから成る制御装置としてのメインコントローラ２５と、メインコントローラ２５に各種情報を入力するためのキーボード２６ａ及びマウス２６ｂと、各種情報を表示するための表示装置としてのモニター２７とから構成されている。
【００１５】
そしてスキャナ２２若しくは画像データ読み書き装置２３により読み取られた画像データは、所定の処理プログラムとキーボード２６ａまたはマウス２６ｂにより入力されるプリントサイズなどの各種情報に基づいてメインコントローラ２５により適宜処理されて、メインコントローラ２５の記憶部２８に取り込むと共に、順次プリントデータとしてプリンター３に搭載した後記のサブコントローラ３０に出力するようにしている。
【００１６】
プリンター３は、画像処理機２の画像処理部２４で作成されたプリントデータを印画紙Ｐに焼き付けるためのものであり、画像処理部２４から出力されたプリントデータなどを入力するためのサブコントローラ３０と、ロール状に巻かれた印画紙Ｐを充填したペーパーマガジン３１ａ・３１ｂと、ペーパーマガジン３１ａ・３１ｂから送り出される印画紙Ｐを搬送するための搬送機構３２と、搬送機構３２で搬送される印画紙Ｐにサブコントローラ３０を介して画像データを露光するための露光機構３３とが搭載されている。
【００１７】
そしてプリンター３では、メインコントローラ２５から出力されるプリントデータがサブコントローラ３０に入力されるに伴い、このサブコントローラ３０で、入力されるプリントデータに基づいて露光用データが生成されて、露光機構３３に出力されるようにしている。
【００１８】
プロセッサ４は、プリンター３で画像Ｄが焼き付け処理された印画紙Ｐを現像処理するための現像処理機構４１と、現像処理機構４１で現像処理された印画紙Ｐを乾燥するための乾燥処理機構４２と、乾燥処理により完成したプリントＰＲを搬出するための搬出機構４３とが備えられている。
【００１９】
そして以上の構成から成る画像処理装置１において、図に示す実施形態では、メインコントローラ２５のプログラム上に、
このメインコントローラ２５による画像Ｄの取り込み終了後のリムーバブル記録メディアに記録保存する時点で、メインコントローラ２５の記憶部２８に取り込まれた画像をモニター２７に一覧表示する画像表示機能５と、
この画像表示機能５により表示された各画像の編集を行なうための保存画像編集機能６とが構築されている。
【００２０】
図に示す保存画像編集機能６は、各画像の並び替え機能部６ａと、各画像の回転機能部６ｂと、各画像Ｄの削除機能部６ｃとから構築されている。
【００２１】
また画像表示機能５によりモニター２７に表示される画面には、図３〜図９に示すように、オーダーナンバに加え、各画像Ｄに対応して、そのコマナンバーと画像の取り込み時に付与されたファイル名とが表示されている。
【００２２】
また前述の画面には、画像Ｄを回転させるための機能ボタン７ａ、画像を削除するための機能ボタン７ｂ、画像Ｄの順番を入れ替えるための機能ボタン７ｃ、記録メディアへの書き込みを実施するための機能ボタン７ｄ、記録メディアへの書き込みを中止するための機能ボタン７ｅが表示され、これら各機能ボタン７ａ〜７ｅをクリックすることで、それぞれの機能が実行されるようにしている。
【００２３】
以上の構成から成る画像プリント処理装置１により、6コマ毎に裁断された現像済みフィルムからプリント及び画像を保存したＣＤ−Ｒを作成する場合を次に説明する。
【００２４】
尚、スキャナ２２による画像Ｄの取り込み作業時において、７コマ目から１２コマ目の画像Ｄの写された現像済みフィルムを誤って天地逆にスキャナ２２に装填して、７コマ目から１２コマ目の画像が天地逆で且つ12コマ目の画像を先頭に７コマ目の画像まで順番に取り込まれたものとして、以降、説明する。
【００２５】
先ず、スキャナ２２により6コマ毎に裁断された複数の現像済みフィルムをフィルムマスクユニット２１に順次装填して、各フィルム中のコマ画像をスキャナ２２により順番に読み取り、読み取った画像Ｄを画像処理部２４で明るさや色調などを任意編集しながら、メインコントローラ２５の記憶部２８に取り込む。
【００２６】
そして１オーダー分の画像の取り込み作業が終了した段階で、オペレータは、キーボード２６ａを介してメインコントローラ２５にプリント指令を出すのであって、これにより、プリンター３で各コマ画像が印画紙Ｐに焼き付けられた後、プロセッサ４で現像処理されて、プリントＰＲが仕上げられるのである。
【００２７】
一方、メインコントローラ２５へのプリント指令が終了した段階でメインコントローラ２５の記憶部２８に取り込んだ画像ＤをＣＤ−Ｒに記録保存する場合には、先ずＣＤ−Ｒ用の画像データ読み書き装置２３ａにＣＤ−Ｒのディスクを装填すると共に、キーボード２６ａの操作により、記録保存作業に切り換えるのであって、記録保存作業画面への切換に伴い、先ず、モニター２７の画面には、メインコントローラ２５の記憶部２８に取り込まれた画像の編集を行なうか否かのメッーセージが表示される。
【００２８】
そして「編集を行なわない」を選択した場合には、画像データ読み書き装置２３ａにセットされたＣＤ−Ｒにそのまま画像Ｄが記録されるのに対して、「編集を行なう」が選択された場合には、モニター２７の画面が図３に示す記録保存作業画面に切り替わるのであって、オペレータはこの記録保存作業画面上で適宜各画像の編集を行なうのである。
【００２９】
即ち、図３に示すように、７コマ目から１２コマ目の画像が天地逆で且つ12コマ目の画像から順番に７コマ目の画像まで取り込まれているため、これを修正する必要があり、そこで、図４に示すように、先ずコマナンバーが「１２」の画像Ｄと「７」の画像Ｄを指定して、画像Ｄの順番を入れ替えるための機能ボタン７ｃのクリックにより、図５に示すように、画像Ｄをコマナンバーを伴って入れ替えると共に、入れ替わった画像Ｄに対応するファイル名を変更する。
【００３０】
続いて、コマナンバーが「１１」の画像Ｄと「８」の画像Ｄ並びにコマナンバーが「１０」の画像Ｄと「９」の画像Ｄをも前述と同様の作業により、入れ替えると共にファイル名を変更するのであって、これにより、７コマ目から１２コマ目の画像Ｄは、図６に示すように撮影順に並び替えられることとなる。
【００３１】
次に、天地逆となっている７コマ目から12コマ目の画像を順次指定し、画像Ｄを回転させるための機能ボタン７ａのクリックにより、図７及び図８に示すように、７コマ目から12コマ目の画像を順次１８０度回転させるのであって、これにより７コマ目から12コマ目の画像が、図８に示すように、正しい姿勢となる。
【００３２】
また更に図９に示すように、撮影が失敗された１８コマ目の画像Ｄを指定して、画像を削除するための機能ボタン７ｂをクリックすることで、18コマ目の画像Ｄが削除されるのである。
【００３３】
そして各画像Ｄの編集が終了した段階で、記録メディアへの書き込みを実施するための機能ボタン７ｄをクリックすると、画像データ読み書き装置２３ａにセットされたＣＤ−Ｒに編集を終えた画像Ｄが記録保存されるのである。
【００３４】
斯くして以上の画像プリント処理装置１では、メインコントローラ２５の記憶部２８への取り込みが終了した後の画像データの記録メディアへの記録保存時においても、保存する画像Ｄ毎に編集できるので、画像データをＣＤ−Ｒ等のリムーバブルな記録メディアに書き込む時点で、例えばフイルムをスキャニングする際にフィルムのフィルムマスクユニットへのフィルムの装填方向を間違え、画像が天地逆となって、画像が撮影順に読み取られないことが判明し、画像の編集を行いたい場合、従来のように、再度、現像済みフィルムのコマ画像をスキャナ２２により読み取る作業を行なわずともよく、それだけ画像Ｄの記録保存の作業性が良くなるに至ったのである。
【００３５】
以上の実施形態では、ＣＤ−Ｒのディスクに記録保存するようにしたが、これに限定されるものではなく、例えばＤＶＤ−Ｒ等その他のリムーバブルな記録メディアに記録保存するようにしてもよい。
【図面の簡単な説明】
【００３６】
【図１】本発明にかかる画像プリント処理装置の概略説明図。
【図２】本発明にかかる画像プリント処理装置の構成図。
【図３】モニターに表示される画面の一例を示す説明図。
【図４】モニターに表示される画面の一例を示す説明図。
【図５】モニターに表示される画面の一例を示す説明図。
【図６】モニターに表示される画面の一例を示す説明図。
【図７】モニターに表示される画面の一例を示す説明図。
【図８】モニターに表示される画面の一例を示す説明図。
【図９】モニターに表示される画面の一例を示す説明図。
【符号の説明】
【００３７】
１      画像プリント処理装置
２      画像処理機
２２    スキャナ（画像読取装置）
２５    メインコントローラ（制御装置）
２６ａ  キーボード
２８    記憶部
３      プリンター
４      プロセッサ
５      画像表示機能
６      保存画像編集機能
６ａ    画像並び替え機能部
６ｂ    画像回転機能部
６ｃ    画像削除機能部
【図１】
2006246120.tif 000003
【図２】
2006246120.tif 000004
【図３】
2006246120.tif 000005
【図４】
2006246120.tif 000006
【図５】
2006246120.tif 000007
【図６】
2006246120.tif 000008
【図７】
2006246120.tif 000009
【図８】
2006246120.tif 000010
【図９】
2006246120.tif 000011